(57)【要約】【課題】従来発明では、蝋燭の固定方法が中心であり、和蝋燭の特徴である揺らぎを活かす燭台の開発がなされてこなかった。【解決手段】和蝋燭に空気を供給する為の供給口を有し、吸気孔を燭台に施工し、吸気した空気の出口である吐出孔と和蝋燭を固定する為のホルダー部を介して和蝋燭の底部と接合し、外部の空気の流れを和蝋燭の内部の空洞の芯を通じて頂上の燃焼部まで導き、和蝋燭の特徴である揺らぎを大きくし、和蝋燭の特徴をより鮮明に活かすことが出来る様に成った。【選択図】図３
2019220446.tif 000002
【特許請求の範囲】
【請求項１】
芯部において底部から頭頂部まで連通する空洞が形成された蝋燭用の燭台であって、前記空洞に空気を供給する為の気道が設けられたことを特徴とする燭台。
【請求項２】
前記気道は外気の流入口である供給口から続く吸気孔と、前記吸気孔から流入した空気を、前記蝋燭の底部に流出させる吐出孔とから構成されたことを特徴とする請求項１に記載の燭台。
【発明の詳細な説明】
【技術分野】
【０００１】  本発明は燭台に関する。更に詳しくは、本発明は和蝋燭を製作する際に生じる形の特徴を生かし、和紙とイグサの茎等により作製された和蝋燭の芯は連通して空洞と成っており、其の芯部分へ空気中の酸素の流れを変える事により、炎の燃焼効率を変え、揺れや大きさに変化をもたらすものである。
【背景技術】
【０００２】  従来、燭台は支持部と蝋燭を立てるホルダー部が一体にて成り立っており、夫々の役割を果たすことで燭台としての機能を果たせる。支持部は蝋燭を立てるホルダー部を安定させる役割を負っており、ホルダー部は蝋燭自体を固定して、蝋燭の転倒防止や直立維持を目的としている。燭台は蝋燭を固定するだけで、転倒の防止の安定性や見た目が良くなる様な装飾が要求される程度で有り、その他の機能は要求されていなかった。その結果、蝋燭による炎の大きさや明るさの調整等は蝋燭の大きさや数により行われている。
【発明の概要】
【発明が解決しようとする課題】
【０００３】  一般に、和蝋燭を製作する際に、和紙とイグサの茎等により作製された空洞と成っている芯部分に竹串等を差し込む。そして、その芯部分より長めに設定された竹串部分を持って、竹串等を軸として芯部分の周りに溶かした蝋を全体に塗り固め、蝋燭を直線状に作っていくのであるが、蝋燭が一定の形状に到達した時点で竹串等を抜き、蝋燭の底部の芯を整えて和蝋燭が完成するのである。【０００４】  本発明者はその際に出来た和蝋燭の底部から頭頂部まで連通している空洞の芯を活用し、和蝋燭の底部から燃焼部の内側にも空気を供給する仕組みを発明した。その結果和蝋燭の特徴である揺らぎや炎の大きさに多くの変化を創造する事が可能と成った。
【課題を解決するための手段】
【０００５】  上記の目的を達成するために、本発明に係る燭台は芯部において底部から頭頂部まで連通する空洞が形成された蝋燭用の燭台であって、前記空洞に空気を供給する為の気道が設けられたことを特徴とする。
【発明の効果】
【０００６】  本発明は、上述した構造により、燭台に設けた空気の取り入れ口の供給口から吸気孔に入った空気中の酸素は吐出孔を通り、和蝋燭の芯の底部の空洞から燃焼する芯の頭頂部へと流れる。また、空気の流入場所が芯の内部であり、しかも外部以外からも空気を供給するので、和蝋燭の燃焼効率を高める事となる。
【図面の簡単な説明】
【０００７】
【図１】  本発明の実施例を示す燭台に蝋燭をセットした斜視図である。
【図２】  本発明の燭台の平面図である。
【図３】  図２の燭台のＡＡ′断面図である。
【図４】  本発明の実施例を示す燭台に蝋燭をセットした断面図である。
【図５】  本発明の燭台の正面図である。
【図６】  本発明の調整型燭台の台座部の正面図である。
【図７】  本発明の調整型燭台の台座部の平面図である。
【図８】  本発明の調整型燭台の台座部の底面図である。
【図９】  図７の調整型燭台の台座部のＢＢ′断面図である。
【図１０】  本発明の調整型燭台のホルダー部の正面図である。
【図１１】  本発明の調整型燭台のホルダー部の平面図である。
【図１２】  本発明の調整型燭台のホルダー部の底面図である。
【図１３】  図１１の調整型燭台のホルダー部のＣＣ′断面図である。
【図１４】  本発明の調整型燭台の蝋燭装着時の断面図である。
【図１５】  本発明の調整型燭台の斜視図である。
【発明を実施するための形態】
【０００８】  本発明に係る一実施例につき、図１から図１５を参照して以下説明する。本発明の和蝋燭用の図１から図５に図示するように燭台２は蝋燭１を固定するだけで特別な工夫もない従来の燭台と異なり、図４に図示するように和蝋燭内部の底部から頭頂部まで連通する空洞と成っている芯部分１ａに空気を供給する事が出来る。図３に図示するように燭台２は空気の供給口２ａと吸気孔２ｂを有しており、その吸気孔２ｂから取り入れた空気の吹き出し口である吐出孔２ｃは蝋燭１を固定するホルダー部２ｄの底部に位置することに成る。また図３に図示するように吸気孔２ｂと吐出孔２ｃは蝋燭の芯の径の大きさに合わせて成形される。内部は空気の流れに勢いや方向性を持たせて変化する事を考慮し、図３に図示するように空気の供給を速やかに出来る工夫である。なお、供給口２ａは空気の取り入れ口である吸気孔２ｂは、供給口２ａの先端にある空気の入り口であって、燭台２に設けた吸気する孔である。吐出孔２ｃは、吸気孔２ｂに吸気された空気の出口であり、和蝋燭の本体の底部に空気を吹き込む為の噴出口である。供給口２ａから続く吸気孔２ｂ、更に吐出孔２ｃまでを気道と称する。
【実施例】
【０００９】  本実施例の燭台２は、図１から図５に図示するように燭台２に空気の供給口２ａと吸気孔２ｂを設け、ホルダー部２ｄにて固定された和蝋燭１本体の底部より、空洞の芯を介して吐出孔２ｃより燃焼部への空気を供給する。【００１０】  更に図６から図１４で図示する様に調整型燭台３では、吸気孔３ｂへ繋がる供給口３ａを台座部３ｄとホルダー部３ｅとの間に設け、燭台に空気の供給量を調整する機能を設ける事で蝋燭の炎の揺らぎや炎の大きさを大きくし、揺らぎの多様な変化をもたらす事が出来る様に成った。すなわち、調整型燭台３は当該燭台に供給される空気の供給量を調整可能な燭台である。この形状は台座部３ｄとホルダー部３ｅが垂直に重なり合う為、上部に位置するホルダー部３ｅを台座部３ｄ上で中心軸（図１４の軸Ｘ）周りに回転させ、台座部３ｄの上面とホルダー部３ｅの下面との接触面を変える事で供給口３ａの広さを調整し、吐出口３ｃからの空気の流量を変える事が可能である。【００１１】  調整型燭台３の流れる空気の量の調整方法としては、様々な方法があるが、供給口３ａから吸気孔３ｂ、更に吐出孔３ｃまでを気道と考えて、その間に空気の流れを調整する機能を施工する事で、蝋燭の炎の大きさや揺らぎに変化をもたらす事と成る。例えば、コック等を用いた空気の供給量を調整する方法の例として、燭台の気道を燭台に対して垂直に施工したものと設定し、気道の内径と同径の外径を持つ円柱状の軸を気道に対して垂直に交わる様に取り付ける。取り付けられた円柱状の軸には気道と交わる位置に気道に対して垂直方向に円柱状の空洞を施工する。円柱状の軸を左右に回転させることで気道と交差する円柱状の空洞の体積は広がり又は狭まる事に成る。よって吸気口から取り入れた空気を吐出口へ流れる量の調整を可能にする。【００１２】  従来の和蝋燭の燃焼状態は炎の外周りの空気が供給されて燃焼しており、洋蝋燭の状況と同じで特筆すべきことはない。和蝋燭は供給される空気と燃焼される蝋と芯は燃焼する蝋燭の燃焼部と底部とは筒状の空洞で繋がっており、頂上部の芯の燃焼に伴う気流の発生は和蝋燭の芯の底部からの空気の供給を促すことになるのだが、燭台の多くは芯の底部に接して、蝋燭を立たせる為の錘と称する突起物があり、結果として和蝋燭の底部からの空気の流れを遮断する結果に成っている。また筒状の蝋燭を固定する為のホルダー部もあるがこの場合も和蝋燭の底部からの空気の流れを遮断する結果と成っている。本発明の燭台は和蝋燭の底部より蝋燭内部に外気を吸入する事により、従来の一般的な燭台と異なる機能を有する。この事が炎の揺らぎや炎の大きさに少なからず影響を与える事と成る。【００１３】  炎の揺らぎや大きさは燃焼している炎に供給される空気の量や流れの方向や勢いにより変化する。また炎の大きさは明るさを増す事に成るが、その炎に供給される空気の流れや勢いに変化を与える方法を見出した。その方法とは空気の流れを燭台で創り出し、創り出された空気の流れを蝋燭の燃焼部へ供給する事である。【００１４】  空気の流れや勢いの変化は空気の取り入れ口である供給口の形状と大きさ、更に吸気孔に流入する空気や和蝋燭の芯の底部と接している吐出孔の形状や断面積の差異に負うものが大きい。供給口は燭台の底部が接地する所に隙間を設け、その隙間から空気の流れを燭台の内部に設けた吸気する孔の吸気孔へ導く。供給口となる燭台に設ける隙間は、燭台の底部が接地する３カ所の接地点のそれぞれの間に位置し、それぞれの隙間より空気が流入する。また燭台の底部が接地する所は３カ所なので、燭台の安定性が良く、がたつきが無い。しかも、三方向にある供給口からの空気の流れ込みも一律ではなく、炎の揺らぎに変化を与える。または燭台に孔等を施工して、吸気孔として設置する場合もある。燭台に空気の流入を導き、調整する機能を設ける方法として、和蝋燭底部と接する筒状の蝋燭を固定する為のホルダー部において空気の吐出孔と蝋燭底部との間に空気が漏れる隙間が出来難い様にする。和蝋燭は蝋燭頂上部の燃焼に伴い蝋燭底部から頂上部に向かう空気の流動が起こり、気流と成り、空気は底部から筒状の芯である空洞を伝わり頂上の燃焼部に供給される。燭台に設ける吸気孔と吐出孔の形状や断面積の差が空気の流れや勢いに繋がる。また吸気孔や吐出孔の形状や断面積を変化させる事で空気の流入に変化が生じる。よって炎の揺らぎの変化の調整が可能になる。また、吸気孔や吐出孔の数や形状を気流の変化を生じさせる目的で施工し、それらを組み合わせる事で空気の流れは更に複雑になり揺らぎも一層複雑に変化する。【００１５】  本発明に係る作用・効果をまとめると以下の通りである。
１．燭台に設けた空気の取り入れ口の供給口から吸気孔に入った空気中の酸素は吐出孔を  通り、和蝋燭の底芯部の空洞から燃焼する芯の頭頂部へと流れる。
２．空気の流入場所が芯の内部であり、しかも外部以外からも空気を供給するので、和蝋  燭の燃焼効率を高める事となる。
３．芯部の燃焼の際に空気中の酸素と共に芯の頭頂部も燃焼するので芯の周りの空気の流  れより、空洞の芯部からの空気の流れに勢いがあり、和蝋燭の燃焼の効率が上がった。
４．空気中の酸素の吸入の量は吐出孔を一定の形状で製作した場合は、吸気孔の取入れ面  積と形状を調整する事で和蝋燭の燃焼の調整が可能に成った。
５．空気中の酸素の吸入の量は吸気孔を一定の形状で製作した場合は、吐出孔の先端口の  断面積と形状を調整する事で和蝋燭の燃焼の調整が可能に成った。
６．燭台に空気を供給する為の吸気孔は吸気した空気の出口である吐出孔とは気道にて繋  がっており、吸気孔と吐出孔の組合せは吸気孔と吐出孔の間にある気道で行う。
７．吸気孔は燭台の台座部に設け、吐出孔は和蝋燭を固定する為の筒状のホルダー部の底  部に設ける。台座部とホルダー部はそれぞれに形状の異なる吸気孔と吐出孔を有し、そ  れらは気道を介して異なる吸気孔と異なる吐出孔の組み合わせにて結合できる。更に結  合した組合せにより、多様な炎の揺らぎを創り出す事が出来る。
８．また、吐出孔と吸気孔の間に位置する気道に空気の流れる量を調整する機具を取り付  ける事により、炎の大きさと明るさを調整する事も可能である。
９．その場合は、空気の取り入れ口である供給口を有する台座部と、吸気孔と吐出孔を有  し蝋燭を固定する為のホルダー部に機能を分離した形状のものが望ましい。
１０．台座部とホルダー部の接合部にて、空気の取り入れ口である供給口より流入した空  気の量を調整する事で炎の大きさや揺らぎの調整が可能である。
１１．調整の方法として、台座部とホルダー部の接合部を水平方向に回転させる事で接合  部の隙間を調整し、流入する空気の量を調整する事が出来る。
１２．一定の空気の供給量と吐出口の形状を固定する事が目的で有れば、台座部の吸気孔  とホルダー部の吐出孔を一体化した燭台の製作も可能であり、結果的には一定の炎の揺  らぎを生じる様にすることも可能である。
１３．また、蝋燭を固定する為の突起物を錘と称するが錘の表面に空気が流入する溝を設  ける事により、和蝋燭の芯の内部と錘の溝の間に隙間が出来、和蝋燭の底部の隙間より  、和蝋燭の内部に空気を取り入れることも可能である。
１４．溝は蝋燭の先端方向に向けて設けるが、溝の数や形状は特には構わない。又は錘の  内部に気道を設け、蝋燭の内部に空気を取り入れる事も可能である。
１５．上記の錘に設けた溝の数や形状でも炎の揺らぎに変化を与える事が出来る。
【符号の説明】
【００１６】１      和蝋燭
１ａ    和蝋燭の芯
１ｂ    和蝋燭の底部
２      和蝋燭用燭台
２ａ    供給口
２ｂ    吸気孔
２ｃ    吐出孔
２ｄ    ホルダー部
３      調整型燭台
３ａ    調整型燭台の供給口
３ｂ    調整型燭台の吸気孔
３ｃ    調整型燭台の吐出孔
３ｄ    調整型燭台のホルダー部
【図１】
2019220446.tif 000003
【図２】
2019220446.tif 000004
【図３】
2019220446.tif 000005
【図４】
2019220446.tif 000006
【図５】
2019220446.tif 000007
【図６】
2019220446.tif 000008
【図７】
2019220446.tif 000009
【図８】
2019220446.tif 000010
【図９】
2019220446.tif 000011
【図１０】
2019220446.tif 000012
【図１１】
2019220446.tif 000013
【図１２】
2019220446.tif 000014
【図１３】
2019220446.tif 000015
【図１４】
2019220446.tif 000016
【図１５】
2019220446.tif 000017